(57)【要約】      （修正有）【課題】操作性を向上させることができる操作装置を提供する。【解決手段】操作装置１は、携帯端末３と通信を行う第１の通信部と、第１の通信部を介して携帯端末３が表示する表示画像３２１を取得し、取得した表示画像３２１に基づく第２の表示画像を表示させる表示制御情報を車両５に搭載された表示装置５３に出力する表示制御部と、車両５のステアリング５０に配置され、操作面１４０になされた操作の検出に基づいた検出情報を出力するタッチパッド１４と、タッチパッド１４から取得した検出情報に基づいて操作情報を生成し、携帯端末３に出力する制御部と、を備える。【選択図】図１
2015128918.tif 000002
【特許請求の範囲】
【請求項１】
操作対象である電子機器と通信を行う通信部と、
前記通信部を介して前記電子機器が表示する第１の表示画像を取得し、取得した前記第１の表示画像に基づく第２の表示画像を表示させる表示制御情報を車両に搭載された表示装置に出力する表示制御部と、
前記車両のステアリングに配置され、操作面になされた操作の検出に基づいた検出情報を出力する操作検出部と、
前記操作検出部から取得した前記検出情報に基づいて操作情報を生成し、前記電子機器に出力する制御部と、
を備えた操作装置。
【請求項２】
前記操作面に接近する操作指の検出に基づく指検出情報を出力する指検出部を有し、
前記表示制御部は、前記指検出部から取得した前記指検出情報に基づいて、前記操作指を模した指画像を前記第２の表示画像と共に前記表示装置に表示させる、
請求項１に記載の操作装置。
【請求項３】
前記操作検出部は、前記ステアリングの中立位置において、前記ステアリングの下部に配置される、
請求項１又は２に記載の操作装置。
【請求項４】
前記表示制御部は、前記車両のメータパネルに配置された補助表示装置、及び前記車両のフロントガラスに画像を投影する画像投影装置、の少なくとも１つを前記表示装置として前記表示制御情報を出力する、
請求項１乃至３のいずれか１項に記載の操作装置。
【発明の詳細な説明】
【技術分野】
【０００１】
本発明は、操作装置に関する。
【背景技術】
【０００２】
従来の技術として、携帯端末と通信する通信手段と、ユーザーによるタッチ操作を受け付け可能なタッチパネルと、携帯端末から受信した画像データを用いた第１の画像をタッチパネルに表示させている際に第１の画像へのタッチ操作を受け付けた場合、第１の画像のうちタッチ位置座標を含む所定領域に対応する部分の画像を拡大した第２の画像をタッチパネルに表示させ、タッチパネルに表示されている第２の画像へのタッチ操作を受け付けた場合、第２の画像へのタッチ位置座標を第１の画像において対応する位置の対応座標に変換し、対応座標に関するデータを携帯端末に送信する制御手段と、を備えた車載機が知られている（例えば、特許文献１参照。）。
【０００３】
この車載機は、例えば、第１の画像中に、複数のボタン類が相互の間隔が狭い態様で配置されると共に第１の画像へのタッチ操作を受け付けた場合、タッチ位置座標を含む所定領域に対応する部分の画像を拡大した第２の画像をタッチパネルに表示させ、ボタン類の更なるタッチ操作を受け付けるように構成されているので、ユーザーによる押し間違いを未然に防ぐことができる。
【先行技術文献】
【特許文献】
【０００４】
【特許文献１】特開２０１３−２０５２６９号公報
【発明の概要】
【発明が解決しようとする課題】
【０００５】
しかし、従来の車載機は、拡大した第２の画像になされたタッチ操作の座標を携帯端末に送信するので、所望のボタンを操作するために少なくとも２度のタッチ操作が必要となると共に、タッチパネルがステアリングから離れていることから、ステアリングから手を離してタッチパネルを操作しなければならず、操作性が良くなかった。
【０００６】
従って、本発明の目的は、操作性を向上させることができる操作装置を提供することにある。
【課題を解決するための手段】
【０００７】
本発明の一態様は、操作対象である電子機器と通信を行う通信部と、通信部を介して電子機器が表示する第１の表示画像を取得し、取得した第１の表示画像に基づく第２の表示画像を表示させる表示制御情報を車両に搭載された表示装置に出力する表示制御部と、車両のステアリングに配置され、操作面になされた操作の検出に基づいた検出情報を出力する操作検出部と、操作検出部から取得した検出情報に基づいて操作情報を生成し、電子機器に出力する制御部と、を備えた操作装置を提供する。
【発明の効果】
【０００８】
本発明によれば、操作性を向上させることができる。
【図面の簡単な説明】
【０００９】
【図１】図１（ａ）は、実施の形態に係る操作装置が搭載された車両内部の概略図であり、図１（ｂ）は、操作者が操作装置を操作する様子を示した概略図である。
【図２】図２（ａ）は、実施の形態に係る操作装置のブロック図であり、図２（ｂ）は、携帯端末のブロック図であり、図２（ｃ）は、操作装置が接続された車両ＬＡＮ（Local Area Network）についてのブロック図である。
【図３】図３（ａ）は、携帯端末の概略図であり、図３（ｂ）は、車両に搭載された補助表示装置の表示画面の概略図であり、図３（ｃ）は、車両に搭載されたヘッドアップディスプレイの概略図である。
【図４】図４（ａ）は、実施の形態に係る操作装置がヘッドアップディスプレイに表示させる表示画像の概略図であり、図４（ｂ）は、補助表示装置に表示させる表示画像の概略図であり、図４（ｃ）は、タッチパッドの操作面の概略図である。
【図５】図５は、実施の形態に係る操作装置の動作に関するフローチャートである。
【発明を実施するための形態】
【００１０】
（実施の形態の要約）
実施の形態に係る操作装置は、操作対象である電子機器と通信を行う通信部と、通信部を介して電子機器が表示する第１の表示画像を取得し、取得した第１の表示画像に基づく第２の表示画像を表示させる表示制御情報を車両に搭載された表示装置に出力する表示制御部と、車両のステアリングに配置され、操作面になされた操作の検出に基づいた検出情報を出力する操作検出部と、操作検出部から取得した検出情報に基づいて操作情報を生成し、電子機器に出力する制御部と、を備えて概略構成されている。
【００１１】
この操作装置は、電子機器が表示する第１の表示画像に基づいた第２の表示画像が表示装置に表示されると共に、当該電子機器を操作することができる操作検出部が、ステアリングに配置されているので、操作者の視線移動を抑制し、操作性を向上させることができる。
【００１２】
[実施の形態]
（操作装置１の全体構成）
図１（ａ）は、実施の形態に係る操作装置が搭載された車両内部の概略図であり、図１（ｂ）は、操作者が操作装置を操作する様子を示した概略図である。図２（ａ）は、実施の形態に係る操作装置のブロック図であり、図２（ｂ）は、携帯端末のブロック図であり、図２（ｃ）は、操作装置が接続された車両ＬＡＮについてのブロック図である。図３（ａ）は、携帯端末の概略図であり、図３（ｂ）は、車両に搭載された補助表示装置の表示画面の概略図であり、図３（ｃ）は、車両に搭載されたヘッドアップディスプレイの概略図である。
【００１３】
なお、以下に記載する実施の形態に係る各図において、図形間の比率は、実際の比率とは異なる場合がある。また図２（ａ）〜図２（ｃ）では、主な信号や情報の流れを矢印で示している。
【００１４】
この操作装置１は、図１（ａ）及び図１（ｂ）に示すように、車両５に搭載され、操作者がステアリング５０を把持した状態で操作が可能となるように構成されている。
【００１５】
また操作装置１は、電磁気的に接続された操作対象である電子機器としての携帯端末３に表示される表示画像３２１と実質的に同じ表示画像を、車両５に搭載された表示装置に表示させる、つまり携帯端末３の表示画像３２１のミラーリングを行うように構成されている。さらに操作装置１は、電磁的に接続された携帯端末３を操作可能に構成されている。
【００１６】
なお、このミラーリングとは、例えば、補助表示装置５３及びヘッドアップディスプレイ５４に、この補助表示装置５３及びヘッドアップディスプレイ５４の解像度に合わせた携帯端末３の表示画像３２１を、表示させることを意味している。また、この電磁気的に接続とは、導電体による接続、電磁波の一種である光による接続、及び電磁波の一種である電波による接続の少なくとも１つを用いた接続である。
【００１７】
具体的には、操作装置１は、図２（ａ）に示すように、携帯端末３と通信を行う第１の通信部１０と、第１の通信部１０を介して携帯端末３が表示する第１の表示画像としての表示画像３２１を取得し、取得した表示画像３２１に基づく第２の表示画像を表示させる表示制御情報Ｓ３を車両５に搭載された表示装置に出力する表示制御部１２と、車両５のステアリング５０に配置され、操作面１４０になされた操作の検出に基づいた検出情報Ｓ５を出力する操作検出部としてのタッチパッド１４と、タッチパッド１４から取得した検出情報Ｓ５に基づいて操作情報Ｓ２を生成し、携帯端末３に出力する制御部２０と、を備えて概略構成されている。
【００１８】
また操作装置１は、操作面１４０に接近する操作指の検出に基づく指検出情報Ｓ６を出力する指検出部１６と、第２の通信部１８と、を備えている。
【００１９】
操作装置１は、図２（ｃ）に示すように、第２の通信部１８を介して車両ＬＡＮ５５に電磁気的に接続されている。この車両ＬＡＮ５５には、例えば、補助表示装置５３と、ヘッドアップディスプレイ５４と、車両制御部５６と、に電磁気的に接続されている。
【００２０】
ここで、上述の車両５に搭載された表示装置とは、例えば、運転席に着座する操作者の前方に表示画面５３０及び表示領域５４０が位置する、補助表示装置５３及びヘッドアップディスプレイ５４である。
【００２１】
（第１の通信部１０の構成）
第１の通信部１０は、例えば、導電体を介して通信を行う有線通信、光を用いて通信を行う光通信、及び電波を用いて通信を行う無線通信が可能となるように構成されている。
【００２２】
この第１の通信部１０は、一例として、図１（ａ）に示すように、接続コード１００を介した有線通信により、携帯端末３と接続されている。また第１の通信部１０は、携帯端末３が光通信可能に構成されている場合は、携帯端末３と光通信により接続され、携帯端末３が無線通信可能に構成されている場合は、携帯端末３と無線通信により接続される。
【００２３】
第１の通信部１０は、主に、携帯端末３から出力される表示画像３２１の情報である表示画像情報Ｓ１を取得し、制御部２０から出力される操作情報Ｓ２を携帯端末３に出力するように構成されている。
【００２４】
（表示制御部１２の構成）
表示制御部１２は、例えば、携帯端末３が表示している表示画像３２１を、補助表示装置５３及びヘッドアップディスプレイ５４で表示できるように処理するように構成されている。この表示画像３２１の情報は、第１の通信部１０及び制御部２０を介して取得した表示画像情報Ｓ１に含まれている。
【００２５】
表示制御部１２は、例えば、取得した表示画像情報Ｓ１に基づいて、補助表示装置５３の表示画面５３０に表示画像５３１を表示させる情報、及びヘッドアップディスプレイ５４の表示領域５４０に表示画像５４１を表示させる情報、を含む表示制御情報Ｓ３を生成するように構成されている。なお表示制御部１２は、表示画面５３０に表示画像５３１を表示させる情報、及び表示領域５４０に表示画像５４１を表示させる情報を分けて送信するように構成されても良い。
【００２６】
表示制御部１２は、制御部２０からから取得した制御情報Ｓ７に基づいて、操作指を模した指画像を第２の表示画像と共に表示装置に表示させるように構成されている。
【００２７】
この指画像は、表示制御部１２に記憶された指画像情報１２０に基づいて生成され、携帯端末３の表示画像３２１に基づく、補助表示装置５３の表示画像、及びヘッドアップディスプレイ５４の表示画像に重畳して表示される。
【００２８】
（タッチパッド１４の構成）
タッチパッド１４は、図１（ａ）及び図１（ｂ）に示すように、ステアリング５０の中立位置において、ステアリング５０の下部に配置されている。この中立位置とは、車両５が直進するステアリング５０の操作位置である。図１（ａ）及び図１（ｂ）は、ステアリング５０が中立位置に位置する場合を図示している。言い換えるなら、タッチパッド１４は、中立位置にあるステアリング５０の６時の位置の搭載部５０４に配置されている。
【００２９】
ステアリング５０は、リング形状を有する把持部５００が中央部５０１から突出するスポーク５０２及びスポーク５０３により支持されている。中央部５０１の下部には、タッチパッド１４が搭載された搭載部５０４が設けられている。
【００３０】
従って、タッチパッド１４は、図１（ｂ）に示すように、操作者がステアリング５０の把持部５００を把持した状態で、操作面１４０を操作することが可能となるように配置されている。
【００３１】
タッチパッド１４は、例えば、操作者の体の一部（例えば、指）や専用のペンで操作面１４０に触れることにより、触れた操作面１４０上の位置を検出するタッチセンサである。操作者は、例えば、操作面１４０に操作を行うことにより、第１の通信部１０に接続された携帯端末３の操作を行うことが可能となる。タッチパッド１４としては、例えば、周知の抵抗膜方式、赤外線方式、ＳＡＷ（Surface Acoustic Wave）方式、静電容量方式等のタッチパッドを用いることが可能である。
【００３２】
本実施の形態に係るタッチパッド１４は、例えば、操作面１４０に指が近づくことによる、センサワイヤと指との距離に反比例した電流の変化を検出する静電容量方式のタッチパッドである。このセンサワイヤは、図示は省略しているが操作面１４０の下に複数設けられている。
【００３３】
操作面１４０は、図１（ａ）の紙面の左上を原点とする座標系を有している。この操作面１４０は、携帯端末３の表示画面３２０、補助表示装置５３の表示画面５３０、及びヘッドアップディスプレイ５４の表示領域５４０と共に絶対操作系を構成している。
【００３４】
この絶対操作系とは、操作面１４０と表示画面３２０、表示画面５３０及び表示領域５４０とが、それぞれ一対一対応となる操作系である。
【００３５】
タッチパッド１４は、制御部２０から出力される駆動信号Ｓ４に基づいて、周期的にセンサワイヤを走査して静電容量を読み出すように構成されている。またタッチパッド１４は、読み出した静電容量に基づいて指の接触の有無を判定し、指が検出された場合は、検出された座標の情報を含む検出情報Ｓ５を出力するように構成されている。
【００３６】
（指検出部１６の構成）
指検出部１６は、操作面１４０に接近した指の位置、つまり操作面１４０に接触する前の指の位置を検出するように構成されている。この指検出部１６は、一例として、図１（ａ）の紙面において、タッチパッド１４の上部の両側面近傍に配置されている。
【００３７】
この指検出部１６は、例えば、送波器により超音波を対象物に向け発信し、その反射波を受波器で受信することにより、対象物の有無や対象物までの距離を検出する超音波センサを含んで構成されている。なお、指検出部１６は、超音波センサに限定されず、操作面１４０を含む領域を撮像し、撮像した画像を処理することで指の位置を検出するように構成されても良い。
【００３８】
指検出部１６は、指の検出に基づいて指検出情報Ｓ６を生成し、制御部２０に出力するように構成されている。この指検出情報Ｓ６には、指の接近が検出された操作面１４０上の座標の情報が含まれている。
【００３９】
（第２の通信部１８の構成）
第２の通信部１８は、車両ＬＡＮ５５と接続し、補助表示装置５３、ヘッドアップディスプレイ５４及び車両制御部５６等と各種情報のやり取りを行うように構成されている。制御部２０は、第２の通信部１８及び車両ＬＡＮ５５を介して、表示制御情報Ｓ３を補助表示装置５３及びヘッドアップディスプレイ５４に出力する。
【００４０】
（制御部２０の構成）
制御部２０は、例えば、記憶されたプログラムに従って、取得したデータに演算、加工等を行うＣＰＵ（Central Processing Unit）、半導体メモリであるＲＡＭ（Random Access Memory）及びＲＯＭ（Read Only Memory）等から構成されるマイクロコンピュータである。このＲＯＭには、例えば、制御部２０が動作するためのプログラムが格納されている。ＲＡＭは、例えば、一時的に演算結果等を格納する記憶領域として用いられる。また制御部２０は、その内部にクロック信号を生成する手段を有し、このクロック信号に基づいて動作を行う。
【００４１】
制御部２０は、クロック信号に基づいてタッチパッド１４を駆動する駆動信号Ｓ４を生成して出力するように構成されている。
【００４２】
また制御部２０は、タッチパッド１４から取得した検出情報Ｓ５に基づいて操作情報Ｓ２を生成し、第１の通信部１０を介して携帯端末３に出力するように構成されている。
【００４３】
（携帯端末３の構成）
携帯端末３は、一例として、多機能携帯電話（スマートフォン）、タブレット端末、音楽再生装置、動画再生装置等の表示画面にタッチすることにより、所望の操作を実行させることが可能な電子機器である。本実施の形態の携帯端末３は、一例として、多機能携帯電話である。
【００４４】
携帯端末３は、図３（ａ）に示すように、細長い矩形状を有する本体３０を有している。操作者は、携帯端末３の表面に露出した操作面３３０に接触することで、所望の操作を行うことが可能となるように構成されている。
【００４５】
携帯端末３は、図３（ａ）に示すように、この操作面３３０と実質的に同じ大きさの表示画面３２０を有し、この表示画面３２０には、機能が割り当てられた画像である複数のアイコン３２２がマトリックス状に並んで表示されている。
【００４６】
この携帯端末３は、例えば、図２（ｂ）に示すように、表示画面３２０を有する表示部３２と、タッチセンサ部３３と、通話部３４と、記憶部３５と、入出力部３６と、通信部３７と、バッテリー３８と、を備えて概略構成されている。
【００４７】
表示部３２は、例えば、液晶ディスプレイを含んで構成されている。携帯端末３は、この液晶ディスプレイに重なるようにタッチセンサ部３３が配置されている。
【００４８】
タッチセンサ部３３は、例えば、ＩＴＯ（スズドープ酸化インジウム：Indium Tin Oxide）等の複数の透明電極が交差するように、操作面３３０の下方に配置された静電容量式のタッチセンサである。従って携帯端末３は、操作者が、このタッチセンサ部３３を介して表示部３２に表示された表示画面３２０を視認できるように構成されている。
【００４９】
なお、表示部３２とタッチセンサ部３３とは、実質的に表示画面３２０と操作面３３０とが同じ大きさで重なるように構成されている。ここで、タッチセンサ部３３は、表示部３２と一体とされたインセル型のタッチセンサでも良い。
【００５０】
通話部３４は、例えば、他の電子機器との音声通話を可能とする機能を有している。記憶部３５は、音楽ファイル、動画ファイル、アプリケーション等を記憶している。
【００５１】
入出力部３６は、図１（ａ）に示す接続コード１００が接続され、各種情報が入出力すると共に、バッテリー３８の充電に用いられる電力が供給できるように構成されている。
【００５２】
通信部３７は、例えば、無線通信網と接続することが可能となるように構成されている。バッテリー３８は、例えば、リチウムイオンバッテリーであり、携帯端末３が動作するために必要な電力を供給するように構成されている。
【００５３】
端末制御部３９は、例えば、記憶されたプログラムに従って、取得したデータに演算、加工等を行うＣＰＵ、半導体メモリであるＲＡＭ及びＲＯＭ等から構成されるマイクロコンピュータである。このＲＯＭには、例えば、端末制御部３９が動作するためのプログラムが格納されている。ＲＡＭは、例えば、一時的に演算結果等を格納する記憶領域として用いられる。また端末制御部３９は、その内部にクロック信号を生成する手段を有し、このクロック信号に基づいて動作を行う。
【００５４】
端末制御部３９は、例えば、操作装置１から出力された操作情報Ｓ２を、入出力部３６を介して取得し、この取得した操作情報Ｓ２に基づいた機能を実行すると共に、表示部３２を制御する表示制御情報Ｓ１１を生成し、表示部３２に出力するように構成されている。
【００５５】
また端末制御部３９は、例えば、タッチセンサ部３３から取得したタッチ情報Ｓ１２に基づいた機能を実行すると共に、表示部３２を制御する表示制御情報Ｓ１１を生成し、表示部３２に出力するように構成されている。
【００５６】
端末制御部３９は、表示部３２を制御する表示制御情報Ｓ１１に基づいて表示画像情報Ｓ１を生成し、入出力部３６及び接続コード１００を介して操作装置１に出力するように構成されている。
【００５７】
（車両５の構成）
車両５は、図２（ｃ）に示すように、補助表示装置５３と、ヘッドアップディスプレイ５４と、車両ＬＡＮ５５と、を備えて概略構成されている。
【００５８】
この補助表示装置５３は、例えば、メータパネル５１の計器と計器との間に配置された液晶ディスプレイである。なお、この計器は、液晶ディスプレイに表示された画像であっても良いし、機械式の計器であっても良い。
【００５９】
この補助表示装置５３は、例えば、操作装置１、車両ＬＡＮ５５を介して取得した表示制御情報Ｓ３に基づいて携帯端末３の表示画像３２１と同じ画像、つまり、携帯端末３のミラーリングを行うように構成されている。
【００６０】
従って、補助表示装置５３の表示画面５３０には、図３（ａ）及び図３（ｂ）に示すように、携帯端末３の複数のアイコン３２２に対応する複数のアイコン５３２が、マトリックス状に並んで表示されている。
【００６１】
ヘッドアップディスプレイ５４は、図１（ｂ）に示すように、フロントガラス５７に近いインストルメントパネル５２に配置されている。このヘッドアップディスプレイ５４は、フロントガラス５７に画像を投影する画像投影装置である。図１（ａ）は、フロントガラス５７の曲面部分に投影されていることから表示領域５４０が扇型になっている。
【００６２】
このヘッドアップディスプレイ５４は、例えば、操作装置１、車両ＬＡＮ５５を介して取得した表示制御情報Ｓ３に基づいて、携帯端末３のミラーリングを行うように構成されている。
【００６３】
従って、ヘッドアップディスプレイ５４の表示領域５４０には、図３（ａ）及び図３（ｃ）に示すように、携帯端末３の複数のアイコン３２２に対応する複数のアイコン５４２が、マトリックス状に並んで表示されている。
【００６４】
車両ＬＡＮ５５は、例えば、電磁気的に接続された電子機器同士が自由に情報等を交換することが可能となるように設けられたネットワークである。この車両ＬＡＮ５５には、例えば、図２（ｃ）に示すように、操作装置１、補助表示装置５３及びヘッドアップディスプレイ５４が電磁気的に接続されている。またこの車両ＬＡＮ５５には、例えば、車両５の現在地を表示したり、地図画像を表示したりするナビゲーション装置、音楽を再生する音楽再生装置、車両内の空気の温度を調整する空調装置等の電子機器と接続するように構成されている。
【００６５】
以下に、実施の形態に係る操作装置１における、操作指の検出に基づいてミラーリングさせた表示画像に重畳して指画像を表示させる動作について、各図を参照すると共に、図５のフローチャートに従って説明する。ここで、操作装置１には、携帯端末３が接続コード１００を介して接続されているものとする。また操作者は、例えば、図１（ｂ）に示すように、ステアリング５０の把持部５００を左手９０と右手９１で把持すると共に、右手９１で把持部５００の搭載部５０４近傍を把持し、右手９１の親指を操作指９１０としてタッチパッド１４を操作する場合について説明する。なお、操作指は、親指に限定されない。
【００６６】
（動作）
図４（ａ）は、実施の形態に係る操作装置がヘッドアップディスプレイに表示させる表示画像の概略図であり、図４（ｂ）は、補助表示装置に表示させる表示画像の概略図であり、図４（ｃ）は、タッチパッドの操作面の概略図である。図５は、実施の形態に係る操作装置の動作に関するフローチャートである。
【００６７】
この図４（ａ）〜図４（ｃ）は、タッチパッド１４、補助表示装置５３の表示画面５３０、及びヘッドアップディスプレイ５４の表示領域５４０が、操作者の前方に下から上と並んでいる様子を示している。
【００６８】
まず、車両５の電源が投入されると、操作装置１の制御部２０は、駆動信号Ｓ４をタッチパッド１４に出力し、指検出部１６は、操作指９１０が操作面１４０に接近しているか否かを検出する。
【００６９】
また表示制御部１２は、接続コード１００、第１の通信部１０及び制御部２０を介して携帯端末３の表示画像３２１の情報である表示画像情報Ｓ１を取得する。次に、表示制御部１２は、この表示画像情報Ｓ１に基づいて、携帯端末３の表示画像３２１のミラーリングを行うための表示制御情報Ｓ３を生成し、制御部２０及び第２の通信部１８を介して車両ＬＡＮ５５に出力する。
【００７０】
補助表示装置５３及びヘッドアップディスプレイ５４は、図４（ａ）及び図４（ｂ）に示すように、車両ＬＡＮ５５を介して取得した表示画像情報Ｓ１に基づいて携帯端末３の表示画像３２１のミラーリングを行う（Ｓ１）。
【００７１】
操作者が、携帯端末３を操作するため、図４（ｃ）に示すように、携帯端末３の表示画像３２１がミラーリングされた補助表示装置５３又はヘッドアップディスプレイ５４を見ながら、操作指９１０をタッチパッド１４の操作面１４０に接近させる。
【００７２】
この操作者の操作により、ステップ２の「Ｙｅｓ」が成立する、つまり、指検出部１６が、操作面１４０に接触する前の操作指９１０を検出した場合、検出された座標の情報を含む指検出情報Ｓ６を生成して制御部２０に出力する（Ｓ３）。
【００７３】
制御部２０は、取得した指検出情報Ｓ６に基づいて表示制御情報Ｓ３を生成して出力する（Ｓ４）。
【００７４】
具体的には、制御部２０は、指検出情報Ｓ６を取得すると、表示制御部１２を制御して携帯端末３の表示画像３２１に指画像を重畳させた表示制御情報Ｓ３を生成させる。制御部２０は、補助表示装置５３及びヘッドアップディスプレイ５４に、携帯端末３の表示画像３２１をミラーリングした表示画像に指画像を表示させる表示制御情報Ｓ３を出力する。
【００７５】
この表示制御情報Ｓ３を取得した補助表示装置５３及びヘッドアップディスプレイ５４は、指画像を含んだ表示画像５３１及び表示画像５４１を表示する（Ｓ５）。
【００７６】
具体的には、表示制御情報Ｓ３を取得した補助表示装置５３は、図４（ｂ）に示すように、指画像５３５を含む表示画像５３１を表示画面５３０に表示させる。また表示制御情報Ｓ３を取得したヘッドアップディスプレイ５４は、図４（ａ）に示すように、指画像５４５を含む表示画像５４１を表示領域５４０に表示させる。
【００７７】
補助表示装置５３の指画像５３５は、例えば、図４（ｂ）及び図４（ｃ）に示すように、操作指９１０の接近が検出された操作面１４０の座標に対応するアイコン５３３上に表示される。
【００７８】
またヘッドアップディスプレイ５４の指画像５４５は、例えば、図４（ａ）及び図４（ｃ）に示すように、操作指９１０の接近が検出された操作面１４０の座標に対応するアイコン５４３上に表示される。
【００７９】
従って操作者は、携帯端末３に視線移動することなく、操作指９１０が携帯端末３の表示画像３２１においてどの位置にあるのかを認識することが可能となる。
【００８０】
（実施の形態の効果）
本実施の形態に係る操作装置１は、操作性を向上させることができる。具体的には、操作装置１は、携帯端末３が表示する表示画像３２１のミラーリングである表示画像５３１及び表示画像５４１が、操作者の前方に位置する補助表示装置５３及びヘッドアップディスプレイ５４に表示される。また操作装置１は、携帯端末３を操作することができるタッチパッド１４が、ステアリング５０に配置されている。従って操作装置１は、操作者の視線移動を抑制し、操作性を向上させることができる。
【００８１】
また操作装置１は、操作者がステアリング５０の把持部５００を把持した状態で操作できる位置に、タッチパッド１４が配置されているので、携帯端末を直接操作する場合と比べて、ステアリング５０から手を離さずに操作が可能となり、操作性が向上する。
【００８２】
また操作装置１は、ステアリング５０が中立位置に位置する場合、タッチパッド１４、補助表示装置５３及びヘッドアップディスプレイ５４が、操作者の前方に下から上に並ぶので、表示装置が操作者の前方以外の場所に位置する場合に比べて、少ない視線移動で操作を行うことが可能となり、操作性が向上する。
【００８３】
また操作装置１は、ミラーリングが行われた表示画像に指画像が表示されるので、表示されない場合と比べて、操作者が携帯端末３を直接操作するような感覚で操作を行うことができると共に、操作者が複雑な操作を覚える必要がない。従って操作装置１は、操作性が良く、操作の確実性が高い。
【００８４】
また操作装置１は、ステアリング５０が中立位置にある際、このステアリング５０の下部中央にタッチパッド１４が配置されるので、左手又は右手による操作性と、所謂右ハンドル又は左ハンドルにおける操作性と、が変わらず、操作性が良い。従って操作装置１は、車両の仕様、個人差、及び利き手によらず操作性が良い。また操作装置１は、例えば、タッチパッド１４に手書き入力を行う場合、上記の理由により、操作者が操作を利き手で行うことができるので、操作の確実性が高い。
【００８５】
また操作装置１は、タッチパッド１４がステアリング５０の中央部５０１と把持部５００とを繋ぐ搭載部５０４に搭載されることから、タッチパッド１４の操作面１４０の形状及び大きさの自由度が高い。これは、搭載部５０４が、操作者のステアリング５０の操作を阻害しない位置に配置されることから、搭載部５０４の形状及び大きさの自由度が高いことによっている。従って操作装置１は、例えば、携帯端末３が多機能携帯電話であった場合、タッチパッド１４の操作面１４０を、この携帯端末３の操作面３３０に近い大きさとすることができ、操作者が、携帯端末３と同等の操作性でタッチパッド１４を操作することができる。
【００８６】
さらに操作装置１は、タッチパッド１４がステアリング５０に配置されているので、操作者の手を、ステアリング５０を利用して保持することが可能となり、操作者が安定した操作を行うことができる。
【００８７】
なお携帯端末３のミラーリングがなされる表示装置は、補助表示装置５３及びヘッドアップディスプレイ５４に限定されない。また表示装置の数は、一つ以上であれば限定されない。
【００８８】
また操作装置１は、例えば、車両ＬＡＮ５５を介すことなく、表示装置と直接接続される構成であっても良い。
【００８９】
上述の実施の形態及び変形例に係る操作装置１は、例えば、用途に応じて、その一部が、コンピュータが実行するプログラム、ＡＳＩＣ（Application Specific Integrated Circuit）及びＦＰＧＡ（Field Programmable Gate Array）等によって実現される。
【００９０】
なお、ＡＳＩＣとは、特定用途向け集積回路であり、ＦＰＧＡとは、プログラミングすることができるＬＳＩ（大規模集積回路：Large Scale Integration）である。
【００９１】
以上、本発明のいくつかの実施の形態及び変形例を説明したが、これらの実施の形態及び変形例は、一例に過ぎず、特許請求の範囲に係る発明を限定するものではない。これら新規な実施の形態及び変形例は、その他の様々な形態で実施されることが可能であり、本発明の要旨を逸脱しない範囲で、種々の省略、置き換え、変更等を行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれるとともに、特許請求の範囲に記載された発明とその均等の範囲に含まれる。
【符号の説明】
【００９２】
１…操作装置、３…携帯端末、５…車両、１０…第１の通信部、１２…表示制御部、１４…タッチパッド、１６…指検出部、１８…第２の通信部、２０…制御部、３０…本体、３２…表示部、３３…タッチセンサ部、３４…通話部、３５…記憶部、３６…入出力部、３７…通信部、３８…バッテリー、３９…端末制御部、５０…ステアリング、５１…メータパネル、５２…インストルメントパネル、５３…補助表示装置、５４…ヘッドアップディスプレイ、５５…車両ＬＡＮ、５６…車両制御部、５７…フロントガラス、９０…左手、９１…右手、１００…接続コード、１２０…指画像情報、１４０…操作面、３２０…表示画面、３２１…表示画像、３２２…アイコン、３３０…操作面、５００…把持部、５０１…中央部、５０２…スポーク、５０３…スポーク、５０４…搭載部、５３０…表示画面、５３１…表示画像、５３２…アイコン、５３３…アイコン、５３５…指画像、５４０…表示領域、５４１…表示画像、５４２…アイコン、５４３…アイコン、５４５…指画像、９１０…操作指
【図１】
2015128918.tif 000003
【図２】
2015128918.tif 000004
【図３】
2015128918.tif 000005
【図４】
2015128918.tif 000006
【図５】
2015128918.tif 000007